(57)【要約】      （修正有）【課題】助け合い、協調心、または競争心、を利用した、怠慢になりがちなダイエット、また体重の維持などの健康改善、また浪費癖や朝起きれないなどの生活態度の改善を目的とした、娯楽と健康、生活継続支援が可能な健康、生活支援システムの提供する。【解決手段】複数いる利用者の血圧、脈拍、体重などの身体（健康）状況、また歩いた数、走った数、飛んだ数などの運動状況、またタバコの消費本数、起床時間、預貯金額などの様々な生活状況（数値化できるもの）をネットワークにより、ＷＥＢ上に数値として公開し、助け合いや協調心、また競争心、もしくは累積数値の目標達成願望で生活改善、また支援し行われる健康、生活支援を行う。【選択図】図１
2007222572.tif 000002
【特許請求の範囲】
【請求項１】
身体情報および運動情報の身体運動情報出力手段を有する健康器具、健康測定器具、または運動熱量測定器具、および単に数値を検出することが可能な測定器具が検出した数値データと、ネットワークに接続可能な携帯通信端末、またはパーソナルコンピュータ、および数値データをユーザー情報と関連付け処理、演算するセンター端末により、ネットワークを介して単数、または複数の身体運動状況を公開し行われる健康、生活支援システムのセンター端末において、前記健康器具、または健康測定器具、または運動熱量測定器具、および測定器具が検出し出力する前記身体情報または運動情報からなる身体運動状況数値データを、記録日時情報、個人識別情報と、数値データ種類情報と共に、ネットワークを介し受信し記憶する身体運動状況受信手段と、前記身体運動状況数値データと、個人識別情報、数値データ種類情報および記録日時情報からなるユーザー情報を他のユーザーの身体運動状況データと共に管理、処理する複数ユーザー身体運動状況管理処理手段、および各種器具ごとに検出された数値データにおける、単位の異なる負荷率を、統一された単位に変換し記憶する、数値データ統一演算手段と、前記数値データ統一演算後の数値データを含んだ複数のユーザー情報を、閲覧者の要求に応じインターネット上に公開する複数ユーザー身体運動状況公開手段と、を備えたことを特徴とする単数、または複数のユーザーの生活状況を公開し行われる健康、生活支援システム
【請求項２】
前記身体情報および運動情報を検知する健康器具、健康測定器具、運動熱量測定器具、および単に数値を検出することが可能な測定器具検出による身体運動数値データに代え、前記身体運動数値データに起床時間、預貯金額など生活状況を数値化した生活環境数値データを加えた生活状況数値データと、ネットワークに接続可能な携帯通信端末、またはパーソナルコンピュータ、および生活状況数値データをユーザー情報と関連付け処理、演算するセンター端末により、ネットワークを介して単数、または複数の生活状況を公開し行われる健康、生活支援システムのセンター端末において、前記身体情報または運動情報からなる身体運動数値データに代え、手動入力、またはネットワークに接続可能な端末のソフトウェアによって形成された前記生活状況数値データをを含んだユーザー情報と共に、ネットワークを介し受信し記憶する生活状況受信手段を備えたことを特徴とする請求項１に記載の複数のユーザーの生活状況を公開し行われる健康、生活支援システム
【請求項３】
身体運動状況データ、または生活状況数値データを形成するソフトウェアを有した健康器具、健康測定器具、運動熱量測定器具、または測定器具、またはネットワークに接続可能な携帯通信端末、またはパーソナルコンピュータによる、前記身体運動状況数値データ、または生活状況数値データを、数値データ種類情報と、記録日時情報および個人識別情報を含むユーザー身体運動状況データ、またはユーザー生活状況数値データとして一定の時間経過、または特定数値変化後、オンラインでネットワークを介し送信するオンライン身体運動、生活状況受信手段を備えオンライン状態で行われることを特徴とした請求項１から２のいずれか１に記載の複数のユーザーの生活状況を公開し行われる健康、生活支援システム
【請求項４】
各種測定器具ごとに検出された数値データにおける単位の異なる負荷率を、統一された単位に変換する数値データ統一演算手段を健康器具、健康測定器具、運動熱量測定器具、および単に数値を検出することが可能な測定器具、またはネットワークに接続可能な携帯通信端末、またはパーソナルコンピュータにおいて、搭載し行われることを特徴とした請求項１から３のいずれか１に記載の複数のユーザーの生活状況を公開し行われる健康、生活支援システム
【請求項５】
前記身体運動状況数値データ、および生活状況数値データから測定器具ごとに検出された数値データにおける単位の負荷率により統一された単位に変換する、単位統一数値データ毎に設定値を設け、ユーザーに対し統一単位に演算された身体運動状況、または生活状況の数値データ設定値毎に特典応募券、または抽選券を発行する統一単位演算特典発行手段で行われることを特徴とした請求項１から４のいずれか１に記載の複数のユーザーの生活状況を公開し行われる健康、生活支援システム
【請求項６】
前記身体情報および運動情報を検知する健康器具、健康測定器具、運動熱量測定器具、および単に数値を検出することが可能な測定器具、およびネットワークに接続可能な携帯通信端末、またはパーソナルコンピュータと、身体運動状況数値データ、生活状況数値データをユーザー情報と関連付け表示処理、演算するセンター端末において、前記身体運動状況数値データ、または前記生活状況数値データの所定変化毎、または時間毎に、前記身体運動状況数値データ、または前記生活状況数値データを管理者、またはユーザーの設定したデータ処理を施した旨を、ユーザー所定の通信端末へメール通知する身体運動、生活状況変化通知手段を備えたことを特徴とする請求項１から５のいずれか１に記載の複数のユーザーの生活状況を公開し行われる健康、生活支援システム
【請求項７】
ネットワーク接続可能な携帯通信端末、およびパーソナルコンピュータまたは前記健康器具、健康測定器具、運動熱量測定器具、または測定器具にインストールされたソフトウェアおいて、センター端末に前記身体運動状況数値データ、または前記生活状況数値データを送信するための身体運動状況数値データ、または生活状況数値データ生成手段を備えたことを特徴とする請求項１から６のいずれか１に記載の複数のユーザーの生活状況を公開し行われる健康、生活支援システム
【発明の詳細な説明】
【技術分野】
【０００１】本発明は、健康器具、健康測定器具、運動熱量測定器具、または測定器具による身体運動数値データなど、様々な生活状況を数値化した生活状況数値データにより利用者の健康、運動、生活状態をＷＥＢ上で公開し、比較、改善、体感することを特徴とした健康、生活支援システムである。
【背景技術】
【０００２】
【特許文献１】特許公開２００３−２４８７２４における健康サービス継続支援システムのセンタ装置では、利用継続に際しての特典が与えられるようになっている。そして、利用者は運動器具を用いて運動をすればするほど継続してサービスを利用する際の特典を受けることができるとなっている。しかし、使用頻度による数値の増減でしか評価をおこなえない。
【０００３】また、特典演算に関する運動ジャンルの違い、測定器具の互換性において正確な数値が返されないという欠点がある。例えば、歩数計とカウンター機能の付いた縄跳びで数値の演算を行った場合、歩数計とカウンター機能の付いた縄跳びでは、カウンター１メモリに対する運動の負荷率において差が生じる。つまり、単一の測定器具においてのみ利用が可能となる。【０００４】本システムにおいては、運動測定値の変化がない場合も対応が可能である。同数値の維持を目的とした健康、生活支援にも対応が可能である。例えば、本システムにおいて体重計に記録、送信装置を備え行えば、同じ体重を維持するという評価で目的を果たすことが可能となる。【０００５】なおかつ、特典演算において、統一単位演算を用い、運動数値の違う測定器具における（運動）負荷率の統一を図ることができ、複数種に及ぶ測定器具での前記サービスが行使が可能となる。運動負荷率の統一に関しては、主に栄養学で用いられるカロリー消費値を基準とする。または、設定者による創作の単位使用でも構わない。つまりは、利用者が複数のユーザーの生活状況閲覧に際し、自分の数値との比較、検討等をし易くすることが目的であるからだ。【０００６】また本システムは、特定時間で起床する場合の時間の数値データを使用したり、または預貯金などを数値化したものを数値データとして使用し、利用者の生活支援、また改善も行うことが可能なシステムである。
【課題】
【０００７】助け合い、協調心、または競争心、を利用した、怠慢になりがちなダイエット、また体重の維持などの健康改善、また浪費癖や朝起きれないなどの生活態度の改善を目的とした、娯楽と健康、生活継続支援が可能な健康、生活支援システムの提供。
【解決】
【０００８】まず、本発明においては、個人情報保護と、情報開示における監視と安全性保持、倫理的規制（ユーザー同士の中傷等の規制）を厳重に行うことが必要となる。複数いる利用者の血圧、脈拍、体重などの身体（健康）状況、また歩いた数、走った数、飛んだ数などの運動状況、またタバコの消費本数、起床時間、預貯金額、失恋回数（この場合、失恋からの立ち直りに役立てる）などの様々な生活環境状況（数値化できるもの）をネットワークにより、ＷＥＢ上に数値として公開し、助け合いや協調心、また競争心、もしくは累積数値の目標達成願望で生活改善、また支援し行われる健康、生活支援システムの提供を行う。
【０００９】センター端末（サーバー、またはホストコンピュータなどの情報処理が可能な装置）において血圧、脈拍、体重などの身体情報および歩いた数、走った数、飛んだ数などの運動情報を一定のサイクル運動を感知し回数に置き換え検知する健康器具（例えば、歩数計、エアロバイク、ルームランニングマシンなど）、身長や体重などの身体情報を計測する健康測定器具（例えば、血圧計、体重計など）、または主に栄養学で用いられるカロリー、ジュールなどの熱量の消費値の測定が可能な運動熱量測定器具、および単に数値を検出する測定器具（カウンター、メーター、例えば、自転車の速度計、距離メーター、またシガレットケースに取り付ける、禁煙に関してのタバコの消費本数のカウンター等）における身体運動情報出力手段により、身体運動状況を数値化した身体運動状況数値データを数値データ種類情報と、記録（送信）日時情報および個人識別情報を含む身体運動状況データからなるユーザー情報と共にとして、ネットワーク（公衆回線）を介し受信し、記憶する身体運動状況受信手段を有する。
【００１０】この場合の送信方法に関しては、健康器具または健康診断器具等にネットワークを介し送信する通信機能をもたせ行うか、または、健康器具、健康診断器具に出力用（入力兼）接続端子を設け、携帯通信端末、およびパーソナルコンピュータなどネットワーク接続可能な端末との接続による送信で行う。
【００１１】請求項７において、記身体運動状況数値データ、または前記生活状況数値データを携帯通信端末、およびパーソナルコンピュータにデータ生成ソフトウェアの搭載し送信を行う。
【００１２】なお、ネットワークを介し健康器具または健康測定器具内のデータをアップデートできることが好ましい。
【００１３】そして、前記数値データを受信し、前記身体情報および運動情報などの身体運動状況数値データと、ＩＤ、パスワード、ハンドルネーム等の個人識別情報、器具の種類を識別するための情報、または何の数値であるかが認知できる数値データ種類情報、および記録（送信）日時情報からなる他のユーザー情報と共に管理、並び替え（またはユーザーからのリクエストによる並び替え）、表示処理する身体運動状況管理処理手段を備える。
【００１４】身体運動状況管理、処理とは、複数ユーザーのハンドルネーム、数値等の羅列表示の他、ユーザー毎に表示、また器具毎に表示、受信時間の記録など、設定状況に合わせ様々な実施状況をＷＥＢ上で公開するための管理処理である。
【００１５】また、運動ジャンルの種類別に存在する測定器具、または運動における、負荷率の統一演算を行い、負荷率を統一する数値データ統一演算手段を備える。統一演算に関しては、カロリー、ジュール等の運動熱量単位に変換し行われるか、またはジャンル別の負荷率の設定、または想定された設定（例えば、体重の維持等の場合は、評価的な数値を割り振るということ）を行い、測定器具毎の数値データに乗算、除算、加算等して負荷率を統一し行われる。その際、数値を評価するために単位を制作し使用することがわかりやすく好ましい。
【００１６】例えばカロリー、ジュール等のような公的に存在する単位のみではなく、管理者の設定で作られる単位のものの場合、歩数計１０００歩。自転車メーター１０キロメートル。カウンター機能の付いた縄跳び２００回の場合。自転車メーター１キロメートルを１ＥＸ、歩数計２００歩で１ＥＸ、カウンター機能の付いた縄跳び５０回で１ＥＸと設定した場合、歩数計＝５ＥＸ、自転車メーター＝１０ＥＸ、カウンター機能の付いた縄跳び＝４ＥＸとなり、あわせて１９ＥＸという負荷率となる。これより、統一が図られるものとする。
【００１７】また、統一演算方法は、先に運動数値に対し負荷率による乗算、除算、加算等をして統一されても構わない。なお、統一演算に際し、例えば歩数計使用にあたり、走った時と、歩いたときの運動負荷率は違うので、測定器においての負荷率判別する機能があるものが好ましい。あくまで、統一演算の目的はユーザーに判別しやすいということと、支援継続を促すというものである。
【００１８】閲覧者の要求に応じインターネット上に公開する複数ユーザー身体運動状況公開手段における、閲覧者の要求とは、インターネットで行われる一般的なサーバーに対するページ要求のことを言っている。これは、本システム参加者のみということではない。
【００１９】単数、複数の違いにおいて単数とは、主に参加ユーザー本人にことを指し、複数とは、不特定多数の閲覧者のことをいう。また前者の場合、閲覧者が前記ユーザーの身体運動状況数値を閲覧できるものとする。
【００２０】請求項２は、身体情報および運動情報などの身体運動状況数値データに、時間、または金額などの生活状況を数値化した生活環境数値を加えた、生活状況数値データを用い、ネットワークを介して生活状況数値を手動による入力で管理サーバーに送信し公開されることで行われるインターネットサービスシステムである。これにより、起床時間、預貯金額のなどの生活環境状況を改善することを目的とする。
【００２１】この際、個人の安全を図るため管理者によるデータの監視をすることが好ましく、更に預貯金などきわめて強いプライバシー情報を扱う特定項目のインターネットサービスシステムに対しては、個人情報の記述は行わないことが好ましい。この場合、ペンネームまたはハンドルネームと前記預貯金の数値データのみで行へばそれで足る。
【００２２】また、請求項１、２が、ユーザーのタイミングで送信（報告）するのに対し、請求項３では、前記一連の送信動作を健康器具、または健康測定器具、測定器具、および通信端末（携帯電話、パーソナルコンピュータ）に入力されているソフトウェアの判断で行い、設定時間による送信をオンライン（この場合のオンラインとは、リアルタイムまたは自動という意味）で行っていることをさす。一定時間という設定は、主に内臓ソフト、または管理者の任意の設定で行われる。また、接続時間による通信料金の設定により変化する。
【００２３】これにより、複数のユーザーの健康状態、運動状態、また生活状態を表示し、公開することによる、娯楽または健康、生活支援継続を図るための健康、生活支援システムが実現されることとなる。
【００２４】請求項４は、請求項１における数値データ統一演算手段が、受信後のセンター端末で行われるのに対し、測定値検出のディバイスとなる健康器具、健康測定器具、運動熱量測定器具、および単に数値を検出することが可能な測定器具に、各種測定器具ごとのジャンルにより異なる負荷率を、統一された数値データに変換する数値データ統一演算機能を搭載し数値データのマスタ装置へのデータ送信で行われるものとする。
【００２５】請求項５は、怠慢になりがちなダイエット等の実施において、更なる娯楽、健康、生活支援継続を図るため、健康、生活支援サービスまた娯楽の継続手段として、設定された前記身体情報および運動情報の数値、および生活状況数値毎に応募券、または抽選券等を発行し、当選者に特典を与えるというシステムである。特典は主に京浜のことを言う。また、健康器具、また健康測定器具、および単に数値を検出することが可能な測定器具において、応募券、または抽選券等の発行数値に達した際、アラーム、またはファンファーレなどの音が発信され、知らせることが好ましい。
【００２６】なお、本発明における特典に関して、特典応募券欲しさに、測定器を振るなどでの数値の詐称があることが想定されるが、これは問題とならない。理由は、健康や、生活改善を願望する者が参加するわけなのだから、詐称したところで目的を果たせるということはないからだ。また、運動過多による健康被害を防ぐため、数値データに上限を設けることが好ましい。
【００２７】請求項６は、身体運動状況や生活状況数値をメール等によって告知するためのものである。管理者、またはユーザーによる表示種類の設定（情報種類、表示形式等）を行い、所定の変化式、または時間設定によりメールで告知するというものである。
【発明を実施するための最良の形態】
【００２８】健康器具を使い、ネット上で歩数計による測定値を公開した場合の発明の実施の形態説明を（図１）において行う。これは、怠慢になりがちな、ダイエットなどの生活改善意欲を高める場合の一つの利用例である。【００２９】まず、利用者は登録を行う。プライバシー情報の公開のため、公開に際してはペンネームまたはハンドルネームなどを使用することが好ましい。【００３０】利用者が歩数計タイプの健康器具（Ｋ１）を使用すると、Ｋ１は歩数を検知し、内部にある記憶装置（メモリ、ＩＣ等）における身体運動情報出力手段を有し、歩数を記憶することが可能になる（Ｓ１）。【００３１】この時前記健康器具は、測定日時のほかシリアル番号等、器具種類識別が可能なデータを有し、ＩＤ，パスワードなどと関連付け、利用者の特定が出来るようにする。【００３２】次に、利用者により、前記健康器具を携帯電話等のネットワーク接続可能な端末に接続する（Ｉ１）と前記健康器具は、記憶装置から身体運動状況数値データ生成手段（Ｓ８）を備えたソフトを呼び出し（Ｓ１）、または現在の数値をＷＥＢサイト（管理者サーバ、ホストコンピュータ等）（Ｋ２）に数値データ、個人識別情報、器具情報および測定日時情報と共にパーソナルコンピュータ（Ｉ１）、携帯通信端末等から送信する（Ｓ２）。【００３３】前記接続可能な端末への接続は、前記健康器具にネットワークに接続できる通信機能を有し直接送信できる機能があるものも含まれる。【００３４】そして、ＷＥＢサイト（管理者サーバ等）は、前記数値データを管理者の設定による処理実行を行う（Ｓ３）。処理とは、複数ユーザーの送信データの羅列表示、また個人毎、器具種類毎、年齢毎、エントリー毎など参加者を並べ替え表示する処理のことを主に言う。更に、複数の測定器でサービスに参加しているユーザーが居る場合、測定器具ごとの異なる運動負荷率を、統一された数値データに変換する、数値データ統一演算が行われる。（Ｓ６）【００３５】その他、ユーザーのコミュニケーションの場とするために、ブログ、チャット、掲示板等の機能を備えることが好ましい。【００３６】ユーザーは、ＷＥＢサイトを通し自分の身体運動実施状況の確認や、他のユーザーとの比較し、楽しむことが可能となる（Ｓ４）。【００３７】またこの場合、健康器具、または健康測定器具、および測定器具における一定の時間経過、または数値経過後の送信で行えることが出来る（Ｓ５）。なおこの時、身体運動実施状況における数値データ設定値毎に特典応募券、または抽選券を発行する（Ｓ７）。例えば、１０００という数値に対し、一枚の応募券が発行されるなどのサービスを行うことにより、更なる娯楽、または健康生活支援継続を図れることとなる。
【図面の簡単な説明】
【００３８】本発明の図の簡単な説明を以下にする。【図１】実施例におけるデータの流れを説明している。
【図２】オンライン状態でのデータの流れを説明している。
【図３】ＷＥＢ上でのユーザーの実施状況を公開するときの表示例であり、個人情報、実施情報をワークシート上に表示したものである。背面にあるワークシートの上部にエントリーＮＯ、ペンネーム等が表示され、自分自身のところが開けるようになっている。
【図４】ＷＥＢ上でのユーザーの実施状況を公開するときの表示例であり、実施状況を表にして一覧できるようになっている。ａ、ｂ、ｃ、ｄ、ｅとは、という各ユーザーの記号であり、以下１，２，３，４，５とは各実施条項の欄を示している。
【符号の説明】
【００３９】（ａ１）は、ａというユーザーのエントリーＮＯである。（ａ２）は、ａというユーザーのペンネームである。（ａ３）は、ａというユーザーの数値データ種類情報である。（ａ４）は、ａというユーザーの数値データである。（ａ５）は、ａというユーザーの応募券発行数である。（ｂ１）は、ｂというユーザーのエントリーＮＯである。（ｂ２）は、ｂというユーザーのペンネームである。（ｂ３）は、ｂというユーザーの数値データ種類情報である。（ｂ４）は、ｂというユーザーの数値データである。（ｂ５）は、ｂというユーザーの応募券発行数である。（ｃ１）は、ｃというユーザーのエントリーＮＯである。（ｃ２）は、ｃというユーザーのペンネームである。（ｃ３）は、ｃというユーザーの数値データ種類情報である。（ｃ４）は、ｃというユーザーの数値データである。（ｃ５）は、ｃというユーザーの応募券発行数である。
【図１】
2007222572.tif 000003
【図２】
2007222572.tif 000004
【図３】
2007222572.tif 000005
【図４】
2007222572.tif 000006